(57)【特許請求の範囲】
【請求項１】
周期表の１〜１３族に属する金属を含むゼオライトと、
該ゼオライトのユニットセルに内包されている酸素活性化金属錯体と、
該ゼオライトに保持されている光還元性金属錯体と、
を有する、錯体内包ゼオライト材料。
【請求項２】
前記酸素活性化金属錯体は：
金属フタロシアニン錯体；
ビス（サリチリデン）−オルト−フェニレンジアミナト金属錯体；および、
環状テトラピロール化合物を配位子とする金属錯体；
からなる群から選択される一種または二種以上である、請求項１に記載のゼオライト材料。
【請求項３】
前記酸素活性化金属錯体を構成する配位子が一または二以上のフッ素置換基を有する、請求項１または２に記載のゼオライト材料。
【請求項４】
前記酸素活性化金属錯体を構成する中心金属は、コバルト、鉄、マンガン、ルテニウム、チタン、バナジウム、ニッケル、銅およびセリウムからなる群から選択される一種または二種以上である、請求項１から３のいずれかに記載のゼオライト材料。
【請求項５】
前記光還元性金属錯体は前記ゼオライトのユニットセルに内包されている、請求項１から４のいずれかに記載のゼオライト材料。
【請求項６】
前記光還元性金属錯体はルテニウム錯体である、請求項１または５に記載のゼオライト材料。
【請求項７】
前記光還元性金属錯体は、ビピリジン骨格を有する少なくとも一つの化合物を配位子とするビピリジン金属錯体である、請求項１から６のいずれかに記載のゼオライト材料。
【請求項８】
前記酸素活性化金属錯体１モルに対して前記光還元性金属錯体を０．１〜１０モルの割合で含む、請求項１から７のいずれかに記載のゼオライト材料。
【請求項９】
前記ゼオライトは、銀、銅、亜鉛、白金およびパラジウムからなる群から選択される一種または二種以上の金属を含む、請求項１から８のいずれかに記載のゼオライト材料。
【請求項１０】
前記ゼオライトはＸ型ゼオライトまたはＹ型ゼオライトである、請求項１から９のいずれかに記載のゼオライト材料。
【請求項１１】
前記ユニットセルの入口部よりもサイズの大きな前記酸素活性化金属錯体が該ユニットセルに内包されている、請求項１から１０のいずれかに記載のゼオライト材料。
【請求項１２】
請求項１から１１のいずれかに記載の錯体内包ゼオライト材料を有効成分として備えるガス浄化材。
【請求項１３】
周期表の１〜１３族に属する金属を含むゼオライトと、該ゼオライトのユニットセルに内包されている酸素活性化金属錯体と、該ゼオライトに保持されている光還元性金属錯体と、を含む錯体内包ゼオライト材料を製造する方法であって：
該金属を含むまたは含まないゼオライトを用意すること；
該ゼオライトのユニットセルに酸素活性化金属錯体を内包させること、ここで該錯体はシップ−イン−ボトル（ship-in-bottle）法により前記ユニットセル内で合成される；および、
該ゼオライトに光還元性金属錯体を保持させること；
を包含する、ゼオライト材料製造方法。
【請求項１４】
前記ゼオライトに光還元性金属錯体を保持させることは、該ゼオライトのユニットセル内で該光還元性金属錯体をシップ−イン−ボトル（ship-in-bottle）法により合成することによって該錯体を該ユニットセルに内包させることを含む、請求項１３に記載の方法。
【請求項１５】
前記ゼオライトのユニットセルに前記酸素活性化金属錯体を内包させることおよび該ゼオライトに前記光還元性金属錯体を保持させることを行った後に、該ゼオライトに前記金属を含有させることを含む、請求項１３または１４に記載の方法。
【発明の詳細な説明】
【技術分野】
【０００１】
本発明は、ゼオライトのユニットセルに酸素活性化金属錯体が内包された構成を備える錯体内包ゼオライト材料に関する。また、かかる構成を有する錯体内包ゼオライト材料の製造方法に関する。また本発明は、該ゼオライト材料を有効成分として具備するガス浄化材に関する。
【背景技術】
【０００２】
人間が不快と感じる物質あるいは環境上好ましからざる物質を含むガスを処理し、かかる物質を分解するかまたはより環境負荷の少ない物質に変換するガス浄化技術が求められている。例えば特許文献１には、二酸化チタンを含む塗膜を基体表面に形成し、その二酸化チタンの光触媒作用により悪臭ガスや有害ガスを除去する有害ガス除去剤が記載されている。また、特許文献２には、金属フタロシアニン誘導体等の金属錯体をゼオライト等の担体に保持させてなり、該金属錯体によって悪臭成分を分解ないし吸着することにより消臭する消臭体が記載されている。担体に担持された金属フタロシアニン錯体をガス分解に利用する技術に関する他の従来技術文献として特許文献３および４が挙げられる。
【０００３】
【特許文献１】特開平１１−１６９７２７号公報
【特許文献２】特開平５−２７７１６７号公報
【特許文献３】特開２００２−３２１９１２号公報
【特許文献４】特開２００３−２０２１４５号公報
【発明の開示】
【発明が解決しようとする課題】
【０００４】
特許文献１〜４に記載された技術では、いずれもガス分解に寄与する成分(ガス分解触媒）を担体の表面上に、例えばディッピング等の方法によって保持させている。換言すれば、ガス分解触媒を担体に担持した構成の消臭体等において、該ガス分解触媒はその消臭体等の外部に露出している。かかる態様の消臭体等では、前記ガス分解触媒の機能により該触媒を担体に担持するためのバインダが劣化して該触媒が担体から脱落しやすくなる等、耐久性が不足しがちである。また、このように担体の表面にガス分解触媒を担持した態様の消臭体等を例えば有機質の繊維に付着させた消臭繊維では、消臭体表面に露出したガス分解触媒が繊維と直接接触するため、前記ガス分解触媒がその機能を発揮することに関連して繊維がダメージを受ける虞がある。
【０００５】
そこで本発明は、人間が不快と感じる物質あるいは環境上好まかしらざる物質（以下、「除去対象物質」ということもある。）を含むガスを効率よく浄化し得る材料であって、より使い勝手のよい材料を提供することを一つの目的とする。本発明の他の一つの目的は、このような材料の製造方法を提供することである。本発明のさらに他の一つの目的は、かかる材料を用いたガス浄化材を提供することである。
【課題を解決するための手段】
【０００６】
ここに開示される一つのゼオライト材料は、周期表の１〜１３族に属する金属を含むゼオライトと、該ゼオライトのユニットセルに内包されている酸素活性化金属錯体と、前記ゼオライトに保持されている光還元性金属錯体とを含む錯体内包ゼオライト材料である。
かかる構成のゼオライト材料によると、前記酸素活性化金属錯体の酸素活性化機能を利用して、人間が不快と感じる物質あるいは環境上好ましからざる物質（除去対象物質）を分解するかまたはより環境負荷の少ない物質に変換する（以下、これらを合わせて「分解」ということもある。）ことができる。該ゼオライト材料は、前記酸素活性化金属錯体がゼオライトのユニットセルに内包されていることにより、周辺物質にダメージを与え難く、使い勝手が良い。また、前記光還元性金属錯体は、光エネルギーの供給を受けて自らは酸化される一方、電子（e-）を放出することができる。酸素活性化金属錯体に加えてこのような光還元性金属錯体を有するゼオライト材料によると、除去対象物質をより効率よく分解することができる。さらに、該ゼオライト材料を構成するゼオライトが所望の金属（典型的には周期表の３〜１３族に属する金属であり、例えば、周期表の４〜１３族またはランタノイドに属する金属であり得る）を含有することにより、該金属と除去対象物質との相互作用によって、該除去対象物質をゼオライト材料の内部または近傍によりよく留めることができる。したがって、ゼオライト材料の内部または近傍に該除去対象物質を集約することができる。このことによって、該除去対象物質をより効率よく分解することができる。
なお、上記ゼオライトの含有する金属（以下、「ゼオライトに含まれる金属」ということもある。）は、典型的には、イオン交換可能な形態で（例えば、二次イオンとして）該ゼオライトに含まれている。したがって、例えば、ゼオライト骨格の形成に参加しているアルミニウム（換言すれば、ゼオライト骨格に組み込まれているアルミニウム）は、ここでいう「ゼオライトに含まれる金属」の概念には含まれない。一方、イオン交換可能な形態でゼオライトに含まれているアルミニウム（例えば、イオン交換等によって事後的にゼオライトに導入されたアルミニウムイオン）は、上記「ゼオライトに含まれる金属」であり得る。
【０００７】
前記酸素活性化金属錯体としては、酸素からスーパーオキシドラジカル、ヒドロキシラジカル等の活性種を生じさせる酸素活性化触媒として機能し得る種々の錯体を特に限定なく使用することができる。例えば、金属フタロシアニン錯体、ビス（サリチリデン）−オルト−フェニレンジアミナト金属錯体、および、環状テトラピロール化合物を配位子とする金属錯体、からなる群から選択される一種または二種以上を好ましく採用することができる。好ましい一つの態様では、該酸素活性化金属錯体を構成する配位子が一または二以上のフッ素置換基（置換基としてのフッ素原子）を有する。かかる置換基を有する酸素活性化金属錯体がユニットセルに内包されたゼオライト材料によると、より良好なガス浄化性能が実現され得る。例えば、一または二以上の水素原子がフッ素原子で置換された構造のフタロシアニン配位子を有する金属錯体が好ましい。また、例えば、中心金属がコバルト、鉄、マンガン、ルテニウム、チタン、バナジウム、ニッケル、銅またはセリウムである一種または二種以上の金属錯体を、前記酸素活性化金属錯体として好ましく採用することができる。
【０００８】
かかるゼオライト材料の一つの好ましい態様では、前記光還元性金属錯体が前記ゼオライトのユニットセルに内包されている。このように光還元性金属錯体がユニットセルに内包された構成のゼオライト材料によると、該ゼオライト材料が周辺材料にダメージを与える事象を、より高いレベルで防止することができる。
【０００９】
前記光還元性金属錯体としては、光エネルギーの供給を受けて電子（e-）を放出する光触媒として機能し得る種々の錯体を特に限定なく使用することができる。例えば、かかる機能を有する各種のルテニウム錯体（中心金属としてルテニウムを有する金属錯体）を好ましく採用することができる。また、例えば、ビピリジン骨格を有する少なくとも一つの化合物を配位子（ビピリジン型配位子）とする金属錯体（ビピリジン金属錯体）を、前記光還元性金属錯体として好ましく採用することができる。
【００１０】
好ましい一つの態様では、該ゼオライト材料が、前記酸素活性化金属錯体１モルに対して前記光還元性金属錯体を凡そ０．１〜１０モルの割合で含む。かかる割合で前記酸素活性化金属錯体および前記光還元性金属錯体を含有するゼオライト材料によると、除去対象物質をより効率よく分解することができる。
【００１１】
ここに開示されるゼオライト材料の一つの好ましい態様では、前記ゼオライトが、銀（Ａｇ）、銅（Ｃｕ）、亜鉛（Ｚｎ）、白金（Ｐｔ）およびパラジウム（Ｐｄ）からなる群から選択される一種または二種以上の金属を含む。かかる金属を含有するゼオライト材料は、より効率よく除去対象物質を分解するものであり得る。原料コストや製造容易性等の観点から、銀、銅および亜鉛からなる群から選択される一種または二種以上の金属を含むことがより好ましい。
【００１２】
前記ゼオライトとしては、例えば、Ｘ型ゼオライトまたはＹ型ゼオライトを好ましく採用することができる。これらのゼオライトは、そのユニットセルに酸素活性化金属錯体を内包させるのに適した骨格構造を有する。
【００１３】
ここに開示されるゼオライト材料の好ましい一つの態様では、前記ユニットセルの入口部よりもサイズ（分子サイズ）の大きな前記酸素活性化金属錯体が該ユニットセルに内包されている。このようなゼオライト材料は、前記酸素活性化金属錯体がユニットセルに安定して保持されている（閉じ込められている）ことから使い勝手がよい。例えば、該ゼオライト材料に施され得る種々の処理および／または該ゼオライト材料の種々の使用状況において、良好な耐久性を示すものであり得る。また、該ゼオライト材料が周辺材料にダメージを与える事象を、より高いレベルで防止することができる。
【００１４】
また、ここに開示される一つのガス浄化材は、上述したいずれかの錯体内包ゼオライト材料を有効成分として備える。かかる構成のガス浄化材によると、前記ゼオライト材料により発揮される除去対象物質の分解機能を利用して、該除去対象物質を含むガスをより効率よく浄化することができる。
【００１５】
ここに開示される一つのゼオライト材料製造方法は、周期表の１〜１３族に属する金属を含むゼオライトと、該ゼオライトのユニットセルに内包されている酸素活性化金属錯体と、該ゼオライトに保持されている光還元性金属錯体と、を含む錯体内包ゼオライト材料を製造する方法に関する。その方法は、ゼオライト（所望の金属を含むものであってもよく、含まないものであってもよい。）を用意することと、該ゼオライトのユニットセルに酸素活性化金属錯体を内包させることと、前記ゼオライトに光還元性金属錯体を保持させることとを含む。ここで、前記ユニットセルに酸素活性化金属錯体を内包させることは、該錯体をシップ−イン−ボトル（ship-in-bottle）法によって前記ユニットセル内で合成することを包含する。
かかる方法によると、ユニットセルに酸素活性化金属錯体を内包させる手法としてship-in-bottle法を用いることにより、該ユニットセルに該錯体を適切に内包させることができる。ここに開示されるゼオライト材料製造方法は、上述したいずれかのゼオライト材料を製造する方法として好適に採用され得る。また、ship-in-bottle法によると、ユニットセルの入口部よりも分子サイズの大きな酸素活性化金属錯体であっても、そのユニットセル内（すなわち、ゼオライトの細孔内）に効率よく配置することが可能である。したがって、前記ゼオライト材料製造方法の特に好ましい適用対象として、前記ユニットセルの入口部よりもサイズの大きな前記酸素活性化金属錯体が該ユニットセルに内包された構成を有するゼオライト材料の製造が例示される。
【００１６】
ここに開示されるゼオライト材料製造方法の一つの好ましい態様では、前記ゼオライトに光還元性金属錯体を保持させることが、該ゼオライトのユニットセル内で該光還元性金属錯体をシップ−イン−ボトル（ship-in-bottle）法により合成することによって該錯体を該ユニットセルに内包させることを含む。かかる方法によると、前記ユニットセルに光還元性金属錯体が内包された構成のゼオライト材料を好適に製造することができる。
【００１７】
ここに開示されるゼオライト材料製造方法の他の一つの好ましい態様は、前記ゼオライトのユニットセルに前記酸素活性化金属錯体を内包させることおよび該ゼオライトに前記光還元性金属錯体を保持させることを行った後に、該ゼオライトに前記金属を導入する（含有させる）ことを含む。かかる態様によると、該金属と酸素活性化金属錯体と光還元性金属錯体とを所望の割合で含有するゼオライト材料をより効率よく（例えば、精度よく）製造することができる。ここで導入する金属は、典型的には、周期表の３〜１３族に属する金属（例えば、周期表の４〜１２族またはランタノイドに属する金属）であり得る。かかる金属の導入は、例えば、イオン交換によって行うことができる。
【発明を実施するための最良の形態】
【００１８】
以下、本発明の好適な実施形態を説明する。なお、本明細書において特に言及している事項以外の事柄であって本発明の実施に必要な事柄は、当該分野における従来技術に基づく当業者の設計事項として把握され得る。本発明は、本明細書に開示されている内容と当該分野における技術常識とに基づいて実施することができる。
【００１９】
ここに開示されるゼオライト材料は、周期表の１〜１３族に属する金属を含む（典型的には、イオン交換可能な形態で含む）ゼオライトと、該ゼオライトのユニットセルに内包されている酸素活性化金属錯体と、該ゼオライトに保持されている光還元性金属錯体とを含む。かかるゼオライト材料を構成するゼオライトは、従来より知られている多孔質結晶性アルミノケイ酸塩に限定されず、同様の結晶構造（骨格構造）を有する多孔質結晶性メタロケイ酸塩、リン酸塩系多孔質結晶等の無機材料であり得る。これら多孔質結晶性アルミノケイ酸塩と類似結晶構造（以下、「ゼオライト型の結晶構造」ということもある。）を有する無機材料については、２０００年７月発行の書籍「ゼオライトの科学と工学」（小野嘉夫、八嶋建明著、講談社刊）に詳細な説明がされている。ここでいう「ゼオライト」の概念には、これらゼオライト型の結晶構造を有する種々の無機材料が包含され得る。前記ゼオライトとしては、このようなゼオライト型無機材料から選択される一種または二種以上を適宜選択して使用することができる。また、該ゼオライトの「ユニットセル」とは、該ゼオライトの結晶構造（骨格構造）における構造単位をいう。この「ユニットセル」は、また、該ゼオライトにおいて一つの細孔を構成する単位ともなっている。
【００２０】
前記ゼオライトの具体的な構造としては、Ｘ型ゼオライト、Ｙ型ゼオライト、グメリナイト、β型ゼオライト、モルデナイト、オフレタイト、ＥＭＴ、ＳＡＰＯ−３７、ベリロリン酸塩Ｘ等のように細孔の入口部が１２個の原子により形成されている大細孔のもの；クローバライト等のように細孔の入口部が１４個以上の原子により形成されている超大細孔のもの；フェリエライト、ヒューランダイト、ウェイネベアイト等のように細孔の入口部が１０個の原子により形成されている中細孔のもの；アナルシム、チャバサイト、エリオナイト、Ａ型ゼオライト等のように細孔の入口部が８個以下の原子により形成されている小細孔のもの；等を例示することができる。これらのうち好ましいゼオライトとして、例えば、Ｘ型ゼオライト、Ｙ型ゼオライト、ＥＭＴ、ＳＡＰＯ−３７およびベリロリン酸塩Ｘが挙げられる。これらのゼオライトは、細孔の内部のサイズが概ね直径１．３ｎｍであり、該細孔の入口部のサイズが概ね直径０．７ｎｍであって、一つのユニットセルに一分子の酸素活性化金属錯体が内包された構成のゼオライト材料を構築するのに適している。特に、ゼオライトのユニットセル内（細孔内）の除去対象物質を分解しやすい位置に酸素活性化金属錯体が内包されたゼオライト材料を容易に合成できるという観点から、Ｘ型ゼオライトおよび／またはＹ型ゼオライトの使用が特に好ましい。
【００２１】
一般にゼオライトは、その骨格構造（典型的には、ケイ素とアルミニウムとが酸素を介して結合した骨格構造）の有する電荷を中和する陽イオンを含有する。該陽イオン（カチオン）は、例えば、リチウム、ナトリウム、カリウム等のアルカリ金属；マグネシウム、カルシウム、バリウム等のアルカリ土類金属；等から選択される一種または二種以上であり得る。また、銀、銅、亜鉛、白金、パラジウム、アルミニウム、インジウム、スズ、チタン、バナジウム、クロム、マンガン、鉄、コバルト、ニッケル、ルテニウム、オスミウム、ロジウム、イリジウム、金、モリブデン、タングステン等の、周期表４〜１３族に属する金属；ランタン、セリウム等の希土類金属（例えばランタノイド）；等から選択される一種または二種以上の金属の陽イオンであり得る。このような陽イオンは、例えばイオン交換によって、その一部または実質的に全部を他の陽イオン（二次イオン）に置き換えることができる。
【００２２】
ここに開示されるゼオライト材料の好ましい一つの態様では、該材料を構成するゼオライトが、周期表の３〜１３族に属する一種または二種以上の金属を含有する（典型的には、上述のようにイオン交換可能な陽イオンとして含有する）ことによって特徴づけられるゼオライトである。すなわち、該ゼオライトに含まれる金属のうち少なくとも一部が周期表の３族（ランタノイドを含む。）〜１３族に属する金属から選択される一種または二種以上であるゼオライトであり得る。例えば、上記イオン交換可能な陽イオンのうち一部が周期表の３〜１３族に属する金属から選択される一種または二種以上（例えば銀イオン）であり、残部がアルカリ金属およびアルカリ土類金属から選択される一種または二種以上の金属（例えばナトリウムイオン）であるゼオライトであり得る。このような構成のゼオライトは、例えば、上記イオン交換可能な陽イオンが実質的にナトリウムイオンであるゼオライトと、銀イオンを含有する水溶液との間でイオン交換を行い、該ナトリウムイオンの少なくとも一部を銀イオンに置き換えることによって得ることができる。
ここに開示されるゼオライト材料を構成するゼオライトは、また、周期表の４〜１２族（例えば１０〜１２族）に属する一種または二種以上の金属を含有する（典型的には、上述のようにイオン交換可能な陽イオンとして含有する）ものであり得る。上記「周期表の４〜１２族に属する金属」としては、銀、銅、亜鉛、白金、パラジウム、チタン、バナジウム、クロム、マンガン、鉄、コバルト、ニッケル、ルテニウム、オスミウム、ロジウム、イリジウム、金、モリブデン、タングステン等が例示される。これらのうち、銀、銅、亜鉛、白金およびパラジウムからなる群から選択される一種または二種以上（例えば、これらのうちいずれか一種）の金属を含有するゼオライトを好ましく採用し得る。除去対象物質と適当な強さで相互作用し得る金属を含有するゼオライトが好ましい。このことによって、ゼオライト材料の内部またはその近傍に該除去対象物質を適切に集約し、該物質をより効率よく分解することができる。なお、ここでいう周期表の族番号は、ＩＵＰＡＣの定める１〜１８の族番号表示によるものである。
【００２３】
ここに開示されるゼオライト材料を構成する「酸素活性化金属錯体」は、酸素（典型的には酸素分子（Ｏ2））からスーパーオキシドラジカル、ヒドロキシラジカル等の活性種を生じさせる酸素活性化触媒として機能し得る種々の金属錯体であり得る。スーパーオキシドラジカル（Ｏ2-）は、例えば、酸素分子の一電子還元により生じ得る。このスーパーオキシドラジカルから、例えば過酸化水素（Ｈ2Ｏ2）を経てヒドロキシラジカル（・ＯＨ）が生じ得る。このような酸素由来活性種が除去対象物質に作用してこれを分解する（より環境負荷の少ない物質に変換する場合を含む。）ことにより、該除去対象物質を含むガスが浄化され得る。上記酸素活性化金属錯体は、上記のような酸素由来活性種の有する高い酸化力を利用して除去対象物質を酸化分解する酸化触媒として把握され得る。ここに開示されるゼオライト材料は、このような酸素活性化金属錯体の一種または二種以上がゼオライトのユニットセルに内包されたものであり得る。
【００２４】
前記ゼオライト材料の構成要素となり得る酸素活性化金属錯体としては、金属フタロシアニン錯体；ビス（サリチリデン）−オルト−フェニレンジアミナト金属錯体（以下、「金属サロフェン錯体」ということもある。）、ビス（サリチリデン）エチレンジアミナト金属錯体、ビス（サリチリデン）プロピレンジアミナト金属錯体、ビス（サリチリデン）シクロヘキサンジアミナト金属錯体、ビス（１−メチル−３−オキソブチリデン）エチレンジアミナト金属錯体；環状テトラピロール化合物（例えば、ポルフィリン、ポルフィセン）を配位子とする金属錯体；環状ポリアミン、環状ポリフォスフィン、環状ポリチオエーテル、環状ポリエーテルおよびそれらの化合物に含まれるヘテロ原子の一または二以上を窒素（Ｎ）、イオウ（Ｓ）、リン（Ｐ）または酸素（Ｏ）原子で置き換えた構造の環状化合物を配位子とする錯体；窒素（Ｎ）、リン（Ｐ）、硫黄（Ｓ）または酸素（Ｏ）原子を起点とする二脚型構造の三座配位子（例えば、ジエチレントリアミン）あるいは三脚型構造の四座配位子（例えば、トリスピリジルメチルアミン、ニトリロトリ酢酸、トリエタノールアミン）を有する金属錯体；等を例示することができる。さらに、ヒスチジン、ロイシン等のアミノ酸、２，２’−ビピリジン、１，１０−フェナントロリン、１−メチル−１，３−ブタンジオン等の化合物を配位子とする金属錯体を例示することができる。これらのうち、酸素を活性化する能力や化合物自体の化学的安定性の観点から、金属フタロシアニン錯体、金属サロフェン錯体および環状テトラピロール化合物を配位子とする金属錯体からなる群から選ばれる少なくとも一種を好ましく採用することができる。金属フタロシアニン錯体および／または金属サロフェン錯体が特に好ましい。
なお、ここでいう「金属フタロシアニン錯体」は、該錯体を構成する配位子が置換基を有しないものに加えて、該配位子が置換基を有するものをも包含する概念であり、このことは他の金属錯体についても同様である。
【００２５】
ここに開示されるゼオライト材料においてゼオライトのユニットセルに内包される酸素活性化金属錯体は、例えば、下記一般式（１）により表される金属フタロシアニン錯体であり得る。
【００２６】
【化１】
0004691661.tif 000002
【００２７】
ここで、上記式（１）中のＲ1，Ｒ2，Ｒ3およびＲ4は、それぞれ独立に、水素原子（Ｈ）、ハロゲン原子、置換基を有するまたは有しないアルキル基（例えば、水素原子の全部がフッ素原子で置き換えられた構造のアルキル基、すなわちパーフルオロアルキル基）、ニトロ基、第１級、第２級または第３級のアミノ基、カルボキシル基、カルボキシルアミド基、ニトリル基、水酸基、アルコキシル基、フェノキシル基、スルホン酸基およびスルホンアミド基からなる群から選択されるいずれかであり得る。上記アルキル基としては、炭素原子数が１〜３程度のもの（典型的にはメチル基）が好ましい。上記ハロゲン原子としては、フッ素（Ｆ）、塩素（Ｃｌ）、臭素（Ｂｒ）およびヨウ素（Ｉ）が例示される。これらのうちフッ素または塩素が特に好ましい。
上記式（１）に含まれる四つのＲ1は互いに同一であってもよく異なってもよい。Ｒ2，Ｒ3およびＲ4についても同様である。通常は、四つのＲ1、四つのＲ2、四つのＲ3、四つのＲ4がそれぞれ互いに同一である構造の金属フタロシアニン錯体が好ましい。また、Ｒ1とＲ4とが同一であり、かつＲ2とＲ3とが同一である構造の金属フタロシアニン錯体を好ましく採用することができる。上記式（１）中のＲ1〜Ｒ4の全てが同一である構造の金属フタロシアニン錯体であってもよい。かかる構造の金属フタロシアニン錯体は、高い対称性を有することから安定性のよいものであり得る。また、目的とする錯体を効率よく（例えば、精度よく）合成するのに適している。
【００２８】
ここに開示されるゼオライト材料を構成する金属フタロシアニン錯体の一好適例として、上記式（１）中のＲ1〜Ｒ4の全てが水素原子（Ｈ）である金属フタロシアニン錯体（すなわち、無置換の金属フタロシアニン錯体）が挙げられる。このような金属フタロシアニン錯体は、例えば、比較的安価な原料を用いたship-in-bottle法により、ユニットセル内で容易に合成することができる。したがって、該金属フタロシアニン錯体がゼオライトのユニットセルに内包された構成のゼオライト材料を容易に製造することができる。
【００２９】
ここに開示されるゼオライト材料を構成する金属フタロシアニン錯体の他の好適例として、上記式（１）中のＲ1〜Ｒ4の全てがハロゲン原子である金属フタロシアニン錯体が挙げられる。かかる金属フタロシアニン錯体は、フタロシアニン骨格を構成するベンゼン環の水素原子がより電気陰性度の大きなハロゲン原子に置き換えられているため、除去対象物質の分解に寄与する活性種をより効率よく生成するものであり得る。したがって、このようなハロゲン置換金属フタロシアニン錯体をゼオライトのユニットセルに内包するゼオライト材料によると、より高いガス浄化性能が発揮され得る。なかでも、電気陰性度の値が特に大きく、かつ無置換の金属フタロシアニン錯体と同程度の分子サイズを有することから、Ｒ1〜Ｒ4の全てがフッ素原子（Ｆ）である金属フタロシアニン錯体（金属パーフルオロフタロシアニン錯体）が特に好ましい。
【００３０】
また、ここに開示されるゼオライト材料においてゼオライトのユニットセルに内包される酸素活性化金属錯体は、例えば、下記一般式（２）により表される金属サロフェン（salophen）錯体であり得る。
【００３１】
【化２】
0004691661.tif 000003
【００３２】
ここで、上記式（２）中のＲ5，Ｒ6，Ｒ7およびＲ8、ならびにＲ10，Ｒ11，Ｒ12およびＲ13は、それぞれ独立に、水素原子（Ｈ）、ハロゲン原子、置換基を有するまたは有しないアルキル基（例えばパーフルオロアルキル基）、ニトロ基、第１級、第２級または第３級のアミノ基、カルボキシル基、カルボキシルアミド基、ニトリル基、水酸基、アルコキシル基、フェノキシル基、スルホン酸基およびスルホンアミド基からなる群から選択されるいずれかであり得る。また、上記式（２）中のＲ9は、水素原子（Ｈ）、ハロゲン原子、置換基を有するまたは有しないアルキル基（例えばパーフルオロアルキル基）、ベンジル基およびその誘導体（例えば、置換基を有するベンジル基）、および、フェニル基またはその誘導体（例えば、置換基を有するベンジル基）、からなる群から選択されるいずれかであり得る。上記アルキル基としては、炭素原子数が１〜３程度のもの（典型的にはメチル基）が好ましい。上記ハロゲン原子としては、フッ素（Ｆ）、塩素（Ｃｌ）、臭素（Ｂｒ）およびヨウ素（Ｉ）が例示される。通常は、これらのうちフッ素または塩素であることが好ましい。
上記式（２）に含まれる二つのＲ5は互いに同一であってもよく異なってもよい。Ｒ6，Ｒ7およびＲ8についても同様である。通常は、二つのＲ5、二つのＲ6、二つのＲ7、二つのＲ8がそれぞれ互いに同一である金属サロフェン錯体が好ましい。このような金属サロフェン錯体は、目的とする錯体を効率よく（例えば、精度よく）合成するのに適している。
【００３３】
ここに開示されるゼオライト材料を構成する金属サロフェン錯体の一好適例として、上記式（２）中のＲ5〜Ｒ13の全てが水素原子（Ｈ）である金属サロフェン錯体（すなわち、無置換の金属サロフェン錯体）が挙げられる。このような金属サロフェン錯体は、例えば、比較的安価な原料を用いたship-in-bottle法により、ユニットセル内で容易に合成することができる。したがって、該金属サロフェン錯体がゼオライトのユニットセルに内包された構成のゼオライト材料を容易に製造することができる。
【００３４】
ここに開示されるゼオライト材料を構成する金属サロフェン錯体の他の好適例として、上記式（２）中のＲ5〜Ｒ8のうち少なくとも一つがハロゲン原子である金属サロフェン錯体（ハロゲン化サロフェン錯体）が挙げられる。例えば、上記式（２）中のＲ6がいずれもフッ素原子である金属サロフェン錯体（フッ化サロフェン錯体）、該Ｒ6がいずれも塩素原子である金属サロフェン錯体（塩化サロフェン錯体）等を好ましく採用することができる。かかる構造の金属サロフェン錯体におけるＲ9〜Ｒ13は、例えば、いずれも水素原子であり得る。
【００３５】
酸素活性化金属錯体を構成する中心金属（上記式（１）または（２）で表される酸素活性化金属錯体では該式中のＭ）は、コバルト（Ｃｏ）、鉄（Ｆｅ）、マンガン（Ｍｎ）、銅（Ｃｕ）、ニッケル（Ｎｉ）、チタン（Ｔｉ）、ルテニウム（Ｒｕ）、亜鉛（Ｚｎ）、クロム（Ｃｒ）、白金（Ｐｔ）、パラジウム（Ｐｄ）、バナジウム（Ｖ）およびセリウム（Ｃｅ）から選択される一種または二種以上（典型的には一種）であり得る。これらのうち、錯体合成の容易性（特に、ship-in-bottle法による合成に適していること）、ガス浄化性能等の観点から好ましい中心金属として、コバルト、鉄、マンガン、銅、ニッケル、チタンおよびルテニウムが挙げられる。特に限定するものではないが、酸素活性化金属錯体を１００質量％として、該錯体の質量に占めるその中心金属の質量割合は例えば０．０１〜１０．０質量％（より好ましくは０．２〜２．０質量％）であり得る。一分子の酸素活性化金属錯体に含まれる中心金属の数は特に限定されない。すなわち、該酸素活性化金属錯体は、単核錯体、複核（二核）錯体および多核錯体のいずれであってもよい。例えば、単核の酸素活性化金属錯体がゼオライトのユニットセルに内包された構成のゼオライト材料が好ましい。
【００３６】
ここに開示されるゼオライト材料は、前記酸素活性化金属錯体がゼオライトのユニットセルに内包されている。該酸素活性化金属錯体のサイズは、上記ユニットセルの有する細孔の内部のサイズと比較して概ね同程度またはそれよりも小さいことが好ましい。このようなサイズの関係を満たすゼオライトと酸素活性化金属錯体との組み合わせは、該錯体をユニットセルに効率よく内包させるのに適している。上記細孔内部のサイズと概ね同程度のサイズの酸素活性化金属錯体がユニットセルに内包された構成のゼオライト材料が特に好ましい。
また、ユニットセルの有する細孔の入口部のサイズに対して、該入口部のサイズよりも大きなサイズの酸素活性化金属錯体が内包されていることが好ましい。すなわち、該酸素活性化金属錯体が、前記入口部を実質的に通過できない（該入口部を経由してユニットセルの細孔に出入りすることができない）サイズであることが好ましい。このようなサイズの関係を満たすゼオライトと酸素活性化金属錯体との組み合わせは、該錯体がユニットセルの内部（細孔内）に保持された状態を安定して維持するのに適している。例えば、該ゼオライト材料に施され得る種々の処理および／または該ゼオライト材料の種々の使用状況において、ユニットセルに内包された酸素活性化金属錯体が該ユニットセルの細孔から抜け出す（ユニットセルから失われる）事象が起こり難い。したがって、かかるゼオライト材料は良好な耐久性を示すものであり得る。また、該ゼオライト材料が周辺材料にダメージを与える事象を、より高いレベルで防止することができる。
【００３７】
ここに開示されるゼオライト材料において前記酸素活性化金属錯体は、主として、一つのユニットセルに一分子の酸素活性化金属錯体が内包された（すなわち、該錯体が一分子毎に異なるユニットセルに内包された）態様で存在していることが好ましい。酸素活性化金属錯体として金属フタロシアニン錯体や金属サロフェン錯体等のように通常の状態（例えば、ゼオライトの外表面に付着した状態）では複数の錯体分子がスタック（積層）した状態となりやすい金属錯体を採用する場合には、かかる態様のゼオライト材料が特に好ましい。複数の錯体分子が一分子毎に異なるユニットセルに内包されている（これにより錯体分子のスタックが阻止されている）状態では、それら複数の錯体分子がスタックした状態にある場合に比べて、個々の錯体分子の酸素活性化機能をより効率よく発揮させることができる。換言すれば、該酸素活性化金属錯体の利用効率を高めることができる。かかる構成のゼオライト材料は、より高いガス浄化性能を示すものであり得る。
【００３８】
このように一つのユニットセルに一分子の酸素活性化金属錯体が内包された構成のゼオライト材料を構成するのに適したゼオライトと、該ゼオライトのユニットセルの形状（細孔の入口部および／または内部のサイズ）に応じたサイズの酸素活性化金属錯体とを組み合わせた構成のゼオライト材料が好ましい。例えば、Ｘ型ゼオライト、Ｙ型ゼオライト、ＥＭＴ、ＳＡＰＯ−３７およびベリロリン酸塩Ｘからなる群から選択されるゼオライトと、上記一般式（１）または（２）においてベンゼン環に結合している基（上記式（１）ではＲ1〜Ｒ4、上記式（２）ではＲ5〜Ｒ8およびＲ10〜Ｒ13）がそれぞれ水素原子（Ｈ）、フッ素原子（Ｆ）または塩素原子（Ｃｌ）から選択されるいずれかである金属錯体との組み合わせが好ましい。より具体的には、上記ゼオライトと、上記一般式（１）におけるＲ1〜Ｒ4がそれぞれＨおよびＦから選択されるいずれかである金属フタロシアニン錯体（例えば、Ｒ1〜Ｒ4の全てがＨである金属フタロシアニン錯体、Ｒ1〜Ｒ4の全てがＦである金属フタロシアニン錯体）との組み合わせを好ましく採用することができる。また、上記ゼオライトと、上記一般式（２）におけるＲ5〜Ｒ8がそれぞれＨ，ＦおよびＣｌから選択されるいずれかであってＲ10〜Ｒ13がいずれもＨである金属サロフェン錯体との組み合わせを好ましく採用することができる。このような組み合わせは、一つの錯体分子の大きさがゼオライトのユニットセルの内部の大きさと概ね同程度であることから、一つのユニットセルに一分子の酸素活性化金属錯体が内包された構成のゼオライト材料を構成するのに適している。
【００３９】
ゼオライトのユニットセル内に酸素活性化金属錯体を内包させる方法としては、ゼオライトと酸素活性化金属錯体形成用原料（該錯体を構成する配位子の前駆体等）とを含む混合物を封管中で加熱する方法、該混合物を加熱還流する方法等を適宜採用することができる。上記混合物としては、目的とする（すなわち、ユニットセルに内包させようとする）酸素活性化金属錯体の中心金属たる金属元素が担持されているゼオライトと、その金属元素に配位して上記酸素活性化金属錯体を構築し得る配位子前駆体とを含む混合物を好ましく使用することができる。かかる配位子前駆体としては、ユニットセルの入口部よりもサイズの小さな化合物を好ましく使用することができる。上記ユニットセルへの酸素活性化金属錯体の内包は、このような配位子前駆体がユニットセル内において金属元素に配位することによって該ユニットセル内で酸素活性化金属錯体が合成（構築）されるように行われることが好ましい。ユニットセルの入口部のサイズよりも分子サイズの大きな酸素活性化金属錯体を該ユニットセルに内包させる場合には、二分子以上の配位子前駆体（一種類の化合物であってもよく、二種以上の化合物であってもよい。）から一分子の錯体が合成されるように、該錯体およびそれに対応する配位子前駆体（好ましくは、さらに該錯体の中心金属たる金属元素）を選定することが好ましい。このようにユニットセル内で酸素活性化金属錯体を合成する手法（特に、該ユニットセルの入口部よりもサイズの大きな錯体を合成する手法）は、いわゆるship-in-bottle法として把握され得る。かかる合成法によると、ユニットセルの入口部よりも大きな酸素活性化金属錯体であっても、該錯体を該ユニットセルに効率よく内包させることができる。なお、かかる合成法は、ユニットセルの入口部よりも小さなサイズの酸素活性化金属錯体の合成にも好ましく適用され得る。
【００４０】
上記一般式（１）中のＲ1〜Ｒ4の全てが水素原子である（すなわち、無置換の）金属フタロシアニン錯体を酸素活性化金属触媒として使用する場合を例として、該金属フタロシアニン錯体をゼオライトのユニットセル内に内包させる好ましい方法について説明する。
目的とする酸素活性化金属触媒の中心金属となり得る金属元素（例えばコバルト）が適当量担持されたゼオライトを用意する。この金属担持ゼオライトを１，２−ジシアノベンゼン（フタロニトリル）と混合する。該混合物を、例えば封管中で、例えば２００〜３００℃で３〜２４時間（典型的には４〜１２時間）加熱することにより、ユニットセル内に金属フタロシアニン錯体を生成させる（合成する）ことができる。このようにして、ユニットセルに金属フタロシアニン錯体が内包されたゼオライトを得ることができる。ここで、ユニットセルに内包させる金属フタロシアニン錯体の量は、例えば、ゼオライトに担持させておく金属元素（酸素活性化金属触媒の中心金属を構成する金属元素）の量を調節することによって制御することができる。上記金属担持ゼオライトと１，２−ジシアノベンゼンとの混合比は、該ゼオライトに担持されている金属（例えばコバルト）のイオン換算で、該金属イオンに対して４当量以上の１，２−ジシアノベンゼンを含む比率とすることが適当である。
【００４１】
上記加熱処理の後、得られた錯体内包ゼオライトを適当な有機溶媒で洗浄することが好ましい。このことによって、未反応の１，２−ジシアノベンゼン（配位子前駆体）や、錯体生成反応の副生成物、ゼオライト骨格の外部に形成された（すなわち、ユニットセルに内包されていない）金属フタロシアニン錯体等を除去することができる。洗浄に使用する有機溶媒としては、低級アルコール（例えば、メタノール、エタノール等の炭素原子数１〜４程度のアルコール）、低級ケトン（例えば、アセトン、エチルメチルケトン等の炭素原子数３〜５程度のケトン）、ピリジン等を好ましく選択することができる。洗浄温度および洗浄時間は特に限定されず、所望の洗浄効果が達成されるように適宜設定することができる。例えば、各溶媒の沸点近辺の温度で洗浄することによって良好な洗浄効率が実現され得る。ここに開示されるゼオライト材料は、除去対象物質を含む被処理ガスの浄化に用いられて、ゼオライト自体の有する吸着効果を利用して該除去対象物質を被処理ガスから除去（吸着）する機能を有するものであり得る。ゼオライト材料の製造過程において上述のような洗浄操作を施すことは、かかる吸着効果をよりよく発揮し得るゼオライト材料を製造するという観点からも好ましい。
【００４２】
なお、上記一般式（１）中のＲ1〜Ｒ4のうち少なくとも一つが水素原子以外の基である（すなわち、置換基を有する）金属フタロシアニン錯体をゼオライトのユニットセルに内包させる方法としては、例えば、対応する置換基を有する置換ジシアノベンゼンを使用して、上記と同様の操作を行う方法を例示することができる。
また、金属フタロシアニン錯体以外の酸素活性化金属錯体についても、上記方法に準じた操作方法を適用することにより、該錯体をゼオライトのユニットセルに内包させることができる。例えば、無置換の金属サロフェン錯体をユニットセルに内包させる場合には、配位子前駆体としてサリチルアルデヒドおよびフェニレンジアミンを使用し、中心金属に対応する金属元素を担持したゼオライトと上記配位子前駆体とを含む混合物を封管中で加熱または加熱還流するとよい。これらの配位子前駆体は、フェニレンジアミン１モルに対してサリチルアルデヒドを概ね２モル（例えば、１．５〜２．５モル）の割合で使用することが好ましい。また、置換基を有する金属サロフェン錯体をユニットセルに内包させる場合には、対応する置換基を有するサリチルアルデヒドおよび／またはフェニレンジアミンを使用すればよい。
【００４３】
ここに開示されるゼオライト材料を構成する「光還元性金属錯体」としては、光エネルギーの照射により（例えば、赤外線、可視光線または紫外線を受容することにより）自らは酸化される一方、電子（e-）を放出する光還元性金属触媒として機能し得る種々の金属錯体が採用され得る。該錯体から放出された電子は、前記酸素活性化金属錯体による酸素の活性化（活性種の生成）に寄与し得る。そのため、酸素活性化金属錯体に加えてこのような光還元性金属錯体を有するゼオライト材料によると、より効率よく酸素を活性化することができ、このことによって除去対象物質をより効率よく分解（より環境負荷の少ない物質に変換する場合を含む。）することができる。また、かかる光還元性金属錯体から供給（放出）される電子が除去対象物質に直接作用して該物質の分解に寄与することもあり得る。したがって、酸素活性化金属錯体と光還元性金属錯体とを有するゼオライト材料によるとより優れたガス浄化性能が実現され得る。
【００４４】
上記光還元性金属錯体としては、例えば、ビピリジン骨格を有する少なくとも一つの化合物（ビピリジン化合物）を配位子とするビピリジン金属錯体（典型的には金属トリスビピリジン錯体）を例示することができる。上記ビピリジン化合物は、そのビピリジン骨格（ピリジン環）が置換基を有する化合物であってもよく、置換基を有しない化合物（例えば、２，２’−ビピリジン）であってもよい。ここでいう「ビピリジン化合物」は、これら置換基を有するビピリジン化合物（ビピリジン誘導体）および置換基を有しないビピリジン化合物を包含する概念である。光還元性金属錯体の他の例として、２，２’−ビピラジン骨格を有する少なくとも一つの化合物（ビピリジン化合物の場合と同様に、置換基を有するまたは有しないビピラジン化合物であり得る。例えば、２，２’−ビピラジンであり得る。）を配位子とするビピラジン金属錯体、フェナントロリン骨格を有する少なくとも一つの化合物（同様に、置換基を有するまたは有しないフェナントロリン化合物であり得る。）等を例示することができる。
ここに開示されるゼオライト材料は、上記酸素活性化金属錯体の一種または二種以上をゼオライトのユニットセルに内包することに加えて、このような光還元性金属錯体の一種または二種以上がゼオライトに保持されたものであり得る。かかる構成のゼオライト材料は、該材料に光エネルギーが供給されない状況または光エネルギーの供給が少ない状況においても、上記酸素活性化金属錯体の機能によって良好なガス浄化性能を発揮するものであり得る。また、該ゼオライト材料に光エネルギーが供給される状況では、光還元性金属錯体および酸素活性化金属錯体の双方の機能を効果的に利用して、さらに高いガス浄化性能を発揮するものであり得る。
【００４５】
ここに開示されるゼオライト材料においてゼオライトに保持される（典型的には、該ゼオライトのユニットセルに内包される）光還元性金属錯体は、例えば、下記一般式（３）により表されるトリスビピリジン錯体であり得る。なお、下記式（３）では、第一のビピリジン配位子についてのみ各ピリジン環を構成する炭素原子に結合する全ての基（Ｒ21，Ｒ22，Ｒ23，Ｒ24）を表示し、第二および第三のビピリジン配位子では該基の一部または全部の表示を省略しているが、これらのビピリジン配位子を構成する各ピリジン環も第一のビピリジン配位子の各ピリジン環と同じ位置にそれぞれＲ21，Ｒ22，Ｒ23，Ｒ24を有する。
【００４６】
【化３】
0004691661.tif 000004
【００４７】
ここで、上記式（３）中のＲ21，Ｒ22，Ｒ23およびＲ24は、それぞれ独立に、ハロゲン原子、置換基を有するまたは有しないアルキル基（例えばパーフルオロアルキル基）からなる群から選択されるいずれかであり得る。上記アルキル基としては、炭素原子数が１〜３程度のもの（典型的にはメチル基）が好ましい。上記ハロゲン原子としては、フッ素（Ｆ）、塩素（Ｃｌ）、臭素（Ｂｒ）およびヨウ素（Ｉ）が例示される。通常は、これらのうちフッ素または塩素が好ましい。
上記式（３）に含まれる三つのビピリジン配位子は、互いに同一であってもよく異なってもよい。また、各ビピリジン配位子に含まれる二つのＲ21は互いに同一であってもよく異なってもよい。Ｒ22，Ｒ23およびＲ24についても同様である。例えば、上記式（３）に含まれる六つのＲ21、六つのＲ22、六つのＲ23、六つのＲ24がそれぞれ互いに同一である構造の金属トリスビピリジン錯体を好ましく採用し得る。
【００４８】
光還元性金属錯体を構成する中心金属（上記式（３）で表される光還元性金属錯体では該式中のＭ）は、ルテニウム（Ｒｕ）、ロジウム（Ｒｈ）、亜鉛（Ｚｎ）、白金（Ｐｔ）、クロム（Ｃｒ）、銅（Ｃｕ）、銀（Ａｇ）、金（Ａｕ）、ユーロピウム（Ｅｕ）、テルビウム（Ｔｂ）、ネオジム（Ｎｄ）、イリジウム（Ｉｒ）、オスミウム（Ｏｓ）、モリブデン（Ｍｏ）、タングステン（Ｗ）およびレニウム（Ｒｅ）から選択される一種または二種以上（典型的には一種）であり得る。これらのうち特に好ましい中心金属としてルテニウムが例示される。例えば、ビピリジン骨格を有する少なくとも一つの化合物を配位子とするルテニウム錯体（トリスビピリジンルテニウム錯体等）が好ましい。
【００４９】
このような光還元性金属錯体は、ゼオライト材料を構成するゼオライトのユニットセルに内包された態様、ゼオライト骨格の外部（例えば、該ゼオライトの外表面上）に付着した態様等のうち一種または二種以上の態様で該ゼオライト材料に保持され得る。例えば、該光還元性金属錯体が主としてゼオライトのユニットセルに内包された態様で保持されているゼオライト材料が好ましい。その光還元性金属錯体のサイズは、上記ユニットセルの有する細孔の内部のサイズと比較して、概ね同程度またはそれよりも小さいサイズであることが好ましい。このようなサイズの関係を満たすゼオライトと光還元性金属錯体との組み合わせは、該錯体をユニットセルに効率よく内包させるのに適している。上記細孔内部のサイズと概ね同程度のサイズの光還元性金属錯体がユニットセルに内包された構成のゼオライト材料が特に好ましい。
また、ユニットセルの有する細孔の入口部のサイズに対して、該入口部のサイズよりも大きなサイズの光還元性金属錯体が該ユニットセルに内包されていることが好ましい。すなわち、該光還元性金属錯体が、前記入口部を実質的に通過できない（該入口部を経由してユニットセルの細孔に出入りすることができない）サイズであることが好ましい。このようなサイズの関係を満たすゼオライトと光還元性金属錯体との組み合わせは、該錯体がユニットセルの内部（細孔内）に保持された状態を安定して維持するのに適している。例えば、該ゼオライト材料に施され得る種々の処理および／または該ゼオライト材料の種々の使用状況において、ユニットセルに内包された光還元性金属錯体が該ユニットセルの細孔から抜け出す（ユニットセルから失われる）事象が起こり難い。したがって、かかるゼオライト材料は、より耐久性に優れたものであり得る。
【００５０】
ここに開示されるゼオライト材料において前記光還元性金属錯体は、主として、一つのユニットセルに一分子の光還元性金属錯体が内包された態様で存在していることが好ましい。かかる態様によると、個々の錯体分子の機能（光エネルギーの供給を受けて電子を放出する機能）をより効率よく発揮させることができる。かかる構成のゼオライト材料は、より高いガス浄化性能を示すものであり得る。
このように一つのユニットセルに一分子の光還元性金属錯体が内包された構成のゼオライト材料を構成するのに適したゼオライトと、該ゼオライトのユニットセルの形状（細孔の入口部および／または内部のサイズ）に応じたサイズの光還元性金属錯体とを組み合わせた構成のゼオライト材料が好ましい。例えば、Ｘ型ゼオライト、Ｙ型ゼオライト、ＥＭＴ、ＳＡＰＯ−３７およびベリロリン酸塩Ｘからなる群から選択されるゼオライトと、上記一般式（３）においてピリジン環に結合している基（Ｒ21〜Ｒ24）がそれぞれＨおよびＦから選択されるいずれかである（例えば、該式中に含まれる全てのＲ21〜Ｒ24がＨである、すなわち無置換の）金属トリスビピリジン錯体との組み合わせが好ましい。
【００５１】
ゼオライトのユニットセルに光還元性金属錯体を内包させる方法としては、該ユニットセルに酸素活性化金属錯体を内包させることに関して上記で例示した方法と同様の方法を好ましく採用することができる。例えば、目的とする光還元性金属錯体の中心金属たる金属元素が担持されているゼオライトと、その金属元素に配位して上記光還元性金属錯体酸素活性化金属錯体を構築し得る配位子前駆体とを含む混合物を加熱することにより、ユニットセルに光還元性金属錯体が内包されたゼオライトを得ることができる。上記混合物の加熱条件は特に限定されないが、例えば、加熱温度としては１００〜２００℃程度、加熱時間としては３〜２４時間程度の条件を採用することができる。その後、得られた錯体内包ゼオライトを適当な有機溶媒で洗浄することが好ましい。
【００５２】
このような光還元性金属錯体の合成に使用する配位子前駆体としては、ユニットセルの入口部よりもサイズの小さな化合物を好ましく使用することができる。上記ユニットセルへの光還元性金属錯体の内包は、このような配位子前駆体がユニットセル内において金属元素に配位することによって該ユニットセル内で光還元性金属錯体が合成（構築）されるように行われることが好ましい。ユニットセルの入口部のサイズよりも分子サイズの大きな錯体を該ユニットセルに内包させる場合には、二分子以上の配位子前駆体（一種類の化合物であってもよく、二種以上の化合物であってもよい。）から一分子の錯体が合成されるように、該錯体およびそれに対応する金属元素ならびに配位子前駆体を選択することが好ましい。このようにユニットセル内で光還元性金属錯体を合成する手法（特に、該ユニットセルの入口部よりもサイズの大きな錯体を合成する手法）は、いわゆるship-in-bottle法として把握され得る。かかる合成法によると、ユニットセルの入口部よりも大きなサイズの光還元性金属錯体であっても、該錯体を該ユニットセルに効率よく内包させることができる。なお、かかる合成法は、ユニットセルの入口部よりも小さなサイズの光還元性金属錯体の合成にも好ましく適用され得る。
【００５３】
ゼオライトに光還元性金属錯体を保持（典型的には、該ゼオライトのユニットセルに内包）させるタイミングは特に限定されない。例えば、該ゼオライトのユニットセルに酸素活性化金属錯体を内包させる前であってもよく後であってもよい。ユニットセルの有する細孔の入口部のサイズよりも大きなサイズの酸素活性化金属錯体が該ユニットセルに内包された態様のゼオライト材料は、ゼオライトのユニットセルに酸素活性化金属錯体を内包させた後に光還元性金属錯体を保持させることを含む製造方法を採用する場合にも、その光還元性金属錯体を保持させる際に（例えば、上述のようなship-in-bottle法を適用して光還元性金属錯体を内包させる際に）、予め内包されている酸素活性化金属錯体がユニットセルから失われ難いので好ましい。また、酸素活性化金属錯体および光還元性金属錯体がいずれもユニットセルに内包された態様のゼオライト材料であって、これら錯体のいずれもがユニットセルの有する細孔の入口部のサイズよりも大きなサイズの錯体である場合には、酸素活性化金属錯体および光還元性金属錯体のいずれの錯体を先に内包させてもよい。いずれの場合にも、先に内包させた一方の錯体が、その後に他方の錯体を内包させる際にユニットセルから失われることが効果的に防止され得る。したがって、ゼオライト材料を製造する方法において選択の幅（例えば、各錯体をユニットセルに内包させる順序の選択幅）をより広げ得るので好ましい。
【００５４】
周期表の３〜１３族（典型的には４〜１２族またはランタノイド、好ましくは４〜１２族、例えば１０〜１２族）に属する所望の金属を含むゼオライトは、例えば、イオン交換可能な陽イオンが周期表１〜１３族に属する一種または二種以上の金属（例えば、アルカリ金属およびアルカリ土類金属から選択される一種または二種以上の金属、すなわち周期表の１族または２族に属する金属）であるゼオライトを用意し、該ゼオライトに含まれる陽イオンの少なくとも一部を上記所望の金属とイオン交換する（これにより上記所望の金属がゼオライトに導入される）ことを包含する方法によって得ることができる。かかるイオン交換は、上記所望の金属のイオンを含む溶液中にゼオライトを接触（分散等）させて、例えば室温で所定時間攪拌することによって行うことができる。ゼオライトに含有させる上記所望の金属の量は、例えば、上記溶液に含まれる該所望の金属のイオンの量と、該溶液に接触させるゼオライトの量との比率を調節することによって制御することができる。ガス浄化性能等の観点から、ここに開示されるゼオライト材料の含有する上記所望の金属の量は、該ゼオライト材料の質量を１００％として、例えばその凡そ０．０１〜１０．０質量％（好ましくは０．１〜５．０質量％）とすることができる。
上記イオン交換に使用する溶液としては、例えば、上記所望の金属の硝酸塩、過塩素酸塩、塩酸塩等から選択される一種または二種以上が水に溶解してなる水溶液を好ましく採用することができる。この溶液における金属塩の濃度は、目標とする担持量に応じて適宜設定され得るが、通常は概ね０．１〜５質量％（例えば、概ね０．５質量％）程度の濃度とすることが適当である。かかる溶液にゼオライトを分散させて、室温で数時間（例えば３時間）程度攪拌することにより、該ゼオライト中の陽イオンと溶液中の金属イオンとのイオン交換を行うことができる。その後、得られた固体を適当な溶媒（例えば水およびアセトン）で洗浄し、常法により乾燥する（例えば１００℃程度の温度で乾燥する）ことにより、該ゼオライトに所望の金属を含ませる（担持させる）ことができる。
【００５５】
上記イオン交換を行うタイミングは特に限定されず、例えば、ゼオライトのユニットセルに酸素活性化金属錯体を内包させる前であってもよく後であってもよい。また、ゼオライトに光還元性金属錯体を保持させる（典型的には、ユニットセルに内包させる）前であってもよく後であってもよい。好ましい一態様として、ユニットセルに酸素活性化金属錯体および光還元性金属錯体を内包するゼオライトに対して（酸素活性化金属錯体と光還元性金属錯体とはいずれを先に内包させてもよい）イオン交換処理を施すことによって上記所望の金属を含有（担持）させる方法を例示することができる。酸素活性化金属錯体および光還元性金属錯体のいずれもが細孔入口部よりも大きなサイズの錯体である場合には、かかる方法を採用することによる利点がよりよく発揮されるので好ましい。このことによって、上記イオン交換を行う際に酸素活性化金属錯体および光還元性金属錯体がユニットセルから失われることが効果的に防止され得る。
【００５６】
なお、ここに開示されるゼオライト材料を構成するゼオライトに含まれる上記所望の金属（例えば、周期表３〜１３族に属する一種または二種以上の金属）は、該ゼオライト材料の有する酸素活性化金属錯体および／または光還元性金属錯体の中心金属と同種の金属であり得る。例えば、ship-in-bottle法を適用してゼオライトのユニットセルに内包された酸素活性化金属錯体の中心金属と同種の金属であり得る。かかる態様のゼオライト材料では、目的とする酸素活性化金属錯体の中心金属たる金属元素を担持したゼオライトと配位子前駆体とを反応させて該金属錯体を合成した後に残った未反応の（錯体を構成しない）中心金属を、上記所望の金属の一部または全部として利用することができる。ここに開示されるゼオライト材料には、このような手法により得られたゼオライト材料も含まれ得る。
【００５７】
ここに開示されるゼオライト材料の好ましい一態様では、該材料を構成するゼオライトと酸素活性化金属錯体との質量比が、ゼオライト１００質量部に対して酸素活性化金属錯体が例えば凡そ０．１〜２０質量部の比率であり得る。該ゼオライト材料を構成するゼオライトと光還元性金属錯体との質量比は、例えば、ゼオライト１００質量部に対して光還元性金属錯体が凡そ０．１〜２０質量部の比率であり得る。
ここに開示されるゼオライト材料の他の好ましい一態様では、該材料の有するユニットセルの個数のうち凡そ１／３０〜１／２（より好ましくは、凡そ１／２０〜１／４）個の割合で、該ユニットセルに酸素活性化金属錯体が内包されている。また、該材料の有するユニットセルの個数のうち凡そ１／３０〜１／２（より好ましくは、凡そ１／２０〜１／４）個の割合で、該ユニットセルに光還元性金属錯体が内包されているゼオライト材料が好ましい。
該ゼオライト材料に含まれる酸素活性化金属錯体と光還元性金属錯体とのモル比は、例えば、酸素活性化金属錯体１モルに対する光還元性金属錯体の含有量が凡そ０．１〜１０モル（より好ましくは凡そ０．２〜３モル、さらに好ましくは凡そ０．５〜１．５モル）となる比率であり得る。
このような割合でゼオライト、酸素活性化金属錯体および光還元性金属錯体を含有するゼオライト材料によると、より高いガス浄化性能が実現され得る。
【００５８】
ここに開示されるゼオライト材料に所定の金属錯体（典型的には、酸素活性化金属錯体および光還元性金属錯体）が含まれることは、例えば元素分析法等により確認することができる。また、該ゼオライト材料における金属錯体の存在状態は、ガス吸着法によって確認することができる。ゼオライトのユニットセルの大きさは、０．３〜１．８ｎｍ程度であり、このサイズは、空気中に含まれる酸素分子の大きさ（約０．３ｎｍ）や窒素分子の大きさ（約０．４ｎｍ）と同程度である。したがって、ユニットセル内に酸素活性化金属錯体も光還元性金属錯体も内含しないゼオライトに所定の条件下で酸素分子または窒素分子（以下、「測定ガス分子」ともいう。）を吸着させると、ゼオライトの外表面のみならず、該ゼオライトのユニットセル内（細孔内）にも測定ガス分子が吸着される。その測定ガス分子の吸着量から、ゼオライトの比表面積（すなわち単位質量当たりの表面積（単位ｍ3／ｇ））を算出することができる。ここで算出される表面積は、ゼオライトの外表面の面積のみならず、該ゼオライトのユニットセルの表面（細孔表面）の面積をも包含する表面積である。一方、酸素活性化金属錯体を内包するゼオライト材料または酸素活性化金属錯体と光還元性金属錯体とを内包するゼオライト材料では、ユニットセルの細孔に金属錯体が収容されているため、測定ガス分子が該細孔に入ることができない。その結果、ユニットセルに金属錯体が内包されたゼオライト材料では該錯体を内包しないゼオライトに比べて測定ガス分子の吸着量が少なくなる。かかる吸着量の現象に対応して、該吸着量から算出される見かけの表面積も減少する。このような被測定ガス分子の吸着量および／または該吸着量から算出される表面積の値の差異によって、ゼオライトのユニットセル内に金属錯体が内包されていることを確認することができる。また、該ゼオライトが所望の金属（例えば、周期表の３〜１３族に属する金属）を含有することおよびその含有量は、例えば、蛍光Ｘ線測定により把握することができる。
【００５９】
なお、ここに開示される技術には、ゼオライトを用意することと、該ゼオライトのユニットセルの形状に適合した酸素活性化金属錯体を選定することと、その選定した酸素活性化金属錯体をship-in-bottle法によってゼオライトのユニットセル内に合成することと、を包含するゼオライト材料の製造方法が含まれる。かかる製造方法は、他の側面として、該ゼオライト材料の設計方法としても把握され得る。ここで、「ユニットセルの形状に適合した酸素活性化金属錯体」としては、例えば、該ユニットセルの細孔内部のサイズと概ね同程度のサイズの酸素活性化金属錯体（より好ましくは、細孔内部のサイズと概ね同程度であってかつ該ユニットセルの細孔入口部よりも大きなサイズの酸素活性化金属錯体）を好ましく選定することができる。
上記製造方法または設計方法は、さらに、該ゼオライトのユニットセルの形状に適合した光還元性金属錯体を選定することと、その選定した光還元性金属錯体をship-in-bottle法によってゼオライトのユニットセル内に合成することとを含み得る。「ユニットセルの形状に適合した光還元性金属錯体」としては、例えば、該ユニットセルの細孔内部のサイズと概ね同程度のサイズの光還元性金属錯体（より好ましくは、細孔内部のサイズと概ね同程度であってかつ該ユニットセルの細孔入口部よりも大きなサイズの光還元性金属錯体）を好ましく選定することができる。
【００６０】
ここに開示されるゼオライト材料は、被処理ガスに含まれる除去対象物質を除去（典型的には分解）するガス浄化材の有効成分として有用である。該ガス浄化材を利用して除去される上記除去対象物質は、揮発性有機化合物（ＶＯＣ）や、硫化水素、トリメチルアミン、酢酸、ホルムアルデヒド、ノネナール、イソ吉草酸、インドール、メルカプタン類、チオエーテル等のような悪臭物質または環境上好ましからざる（例えば有害性のある）物質から選択される一種または二種以上であり得る。上記ＶＯＣとしては、シックハウス症候群、シックスクール症候群などの影響を及ぼす可能性が高いとされている化合物、例えばホルムアルデヒド、キシレン、トルエン、エチルベンゼン、スチレンモノマー、パラジクロロベンゼン等が例示される。ここに開示されるガス浄化材によると、このような除去対象物質を効率よく除去（分解）することができる。かかるガス浄化材の好ましい一つの態様では、該除去対象物質を持続的に（より好ましくは常温で）分解することができる。
【００６１】
上記ガス浄化材は、例えば、上述したいずれかのゼオライト材料が適当な基材に保持された構成を有するものであり得る。該基材を構成する材料は、有機材料（天然繊維、合成繊維、樹脂成形体、樹脂フィルム等）であってもよく、無機材料（金属、金属酸化物等）であってもよい。上記ゼオライト材料は、それ自体単独で、ここに開示されるガス浄化材となり得る。また、ここに開示される一つのガス浄化材は、例えば粉末状等の形状に製造された上記ゼオライト材料を、必要に応じて使用される適当なバインダ（結着材）とともに所定の形状に成形してなるガス浄化材であり得る。例えば、該ゼオライト材料が：壁材、床材、天井材等の建材；椅子、机、ベッド、タンス等の家具；自動車や電車などの車両内装材；等に練り込まれた形態のガス浄化材であり得る。また、かかる粉末状ゼオライト材料が適当なビヒクルに分散された混合物（塗料）を調製し、該混合物を建材等の基材に付与（例えば塗布）してなるガス浄化材であってもよい。ここに開示されるゼオライト材料は、このような各種形態のガス浄化材またはその構成材料として利用され得る。
【００６２】
ここに開示されるゼオライト材料は、上述のようなガス浄化材として利用され得る他、例えば酸化触媒として有用なものであり得る。具体的には、例えば、アミン類を酸化してＮ−オキサイド（洗浄剤の構成成分として有用である。）を安価に大量に合成する触媒等として、該ゼオライト材料を利用することができる。本発明のゼオライト材料を酸化触媒に用いる触媒反応は、従来公知の各種方法を適用して実施することができる。
【００６３】
以下、本発明に関するいくつかの実施例を説明するが、本発明をかかる実施例に示すものに限定することを意図したものではない。
【００６４】
＜実施例１＞
以下のようにして、銀イオンを含むゼオライトのユニットセルにサロフェンコバルト錯体とトリスビピリジンルテニウム錯体とが内包されたゼオライト材料を製造した。
【００６５】
すなわち、粉末状のＸ型ゼオライトを用意し、該ゼオライトに含まれる陽イオン（ここではナトリウムイオン）をルテニウムイオンとイオン交換した。これにより、適量のルテニウムが担持されたゼオライト（ルテニウム担持ゼオライト）を得た。このルテニウム担持ゼオライトにおけるルテニウムの担持量は、該ルテニウム担持ゼオライトの質量の例えば０．５〜５質量％程度とすることが適当である。本実施例では、ルテニウムの担持量を１質量％とした。
上記ルテニウム担持ゼオライトを、ルテニウムイオン換算で３当量以上（例えば３〜１５当量）の２，２’−ビピリジンまたはその誘導体（本実施例では、３．５当量の２，２’−ビピリジンを使用した。）と混合して封管し、１００〜２００℃の温度で３〜２４時間（ここでは、１９０℃で２４時間）加熱した。得られた固体に含まれる未反応の配位子等を除去するため、ソックスレー抽出器を用いて該固体をエタノールで洗浄し、真空乾燥した。これを濃硝酸ナトリウム水溶液に懸濁して５０℃前後の温度で一晩攪拌することにより、未反応の（錯体を構成しない）ルテニウムイオンをナトリウムイオンと交換することで除去した。次いで、得られた固体を水およびアセトンで洗浄し、１００℃で乾燥した。このようにして、ユニットセル（ゼオライトスーパーケージ内）にトリスビピリジンルテニウム錯体が内包されたゼオライト（以下、これを「サンプルａ１」ということもある。）を得た。
【００６６】
上記で得られたトリスビピリジンルテニウム錯体内包ゼオライトに含まれる陽イオン（主としてナトリウムイオン）をコバルトイオンとイオン交換した。これにより、ユニットセルにトリスビピリジンルテニウム錯体を内包し、かつ適量のコバルトが担持されたゼオライト（コバルト担持ゼオライト）を得た。このコバルト担持ゼオライトにおけるコバルトの担持量は、該コバルト担持ゼオライトの質量の例えば０．５〜５質量％程度とすることが適当である。本実施例では、コバルトの担持量を１質量％とした。
上記コバルト担持ゼオライトを、コバルトイオン換算で３当量以上（例えば３〜１５当量）のサリチルアルデヒドまたはその誘導体（本実施例では、３．２当量の５−クロロ−２−ヒドロキシベンズアルデヒドを使用した。）を適量のエタノールに溶解させた溶液に混合した。この懸濁液を還流しながら、コバルトイオン換算で１．５当量以上（例えば１．５〜１０当量）のフェニレンジアミンまたはその誘導体（本実施例では、１．６当量のフェニレンジアミンを使用した。）をエタノールに溶解した溶液を徐々に滴下し、滴下完了後さらに３時間以上（ここでは３時間）還流した。その後、得られた固体に含まれる未反応の配位子等を除去するため、ソックスレー抽出器を用いて該固体をアセトンまたはｔ−ブタノール（ここではｔ−ブタノールを使用した。）で洗浄し、真空乾燥した。これを濃硝酸ナトリウム水溶液に懸濁して５０℃前後の温度で一晩攪拌することにより、未反応の（錯体を構成しない）コバルトイオンをナトリウムイオンと交換することで除去した。次いで、得られた固体を水およびアセトンで洗浄し、１００℃で乾燥した。このようにして、サロフェンコバルト錯体およびトリスビピリジンルテニウム錯体がユニットセルに内包されたゼオライト（以下、これを「サンプルａ２」ということもある。）を得た。
【００６７】
次いで、上記で得られたサンプルａ２を、適当な濃度で銀イオンを含む水溶液（例えば、硝酸銀の０．１〜５質量％水溶液、ここでは硝酸銀の０．５質量％水溶液を使用した。）に入れ、室温で数時間（ここでは３時間とした。）攪拌した。このことによって、該固体に含まれる陽イオン（主としてナトリウムイオン）を銀イオンとイオン交換した。その後、得られた固体を水およびアセトンで洗浄し、１００℃で乾燥した。
このようにして、ユニットセルにサロフェンコバルト錯体（上記一般式（２）におけるＭがコバルト（Ｃｏ）であり、Ｒ5およびＲ7〜Ｒ13がいずれも水素原子（Ｈ）であり、Ｒ6が塩素原子（Ｃｌ）である金属錯体）およびトリスビピリジンルテニウム錯体（上記一般式（３）におけるＭがルテニウム（Ｒｕ）であり、Ｒ21〜Ｒ24がいずれも水素原子（Ｈ）である金属錯体）が内包され、かつ銀（Ａｇ）が担持されたゼオライト材料（以下、これを「サンプルＡ」ということもある。）を得た。このサンプルＡの銀含有量は１質量％であった。
【００６８】
＜実施例２＞
以下のようにして、銀イオンを含むゼオライトのユニットセルにフタロシアニンコバルト錯体とトリスビピリジンルテニウム錯体とが内包されたゼオライト材料を製造した。
【００６９】
すなわち、実施例１で用いたものと同じ粉末状Ｘ型ゼオライトを用意し、該ゼオライトに含まれる陽イオンをコバルトイオンとイオン交換した。これにより、適量のコバルトが担持されたゼオライト（コバルト担持ゼオライト）を得た。このコバルト担持ゼオライトにおけるコバルトの担持量は、該コバルト担持ゼオライトの質量の例えば０．５〜５質量％程度とすることができる。本実施例では、コバルトの担持量を１質量％とした。
上記コバルト担持ゼオライトを、コバルトイオン換算で４当量以上（例えば４〜２０当量）のフタロニトリルまたはその誘導体（本実施例では、８当量のフタロニトリルを使用した。）と混合して封管し、２００〜３００℃の温度で３〜２４時間（ここでは、２２０℃で５時間）加熱した。得られた固体に含まれる未反応の配位子やゼオライト粒の外部に生成したフタロシアニン等を除去するため、ソックスレー抽出器を用いて該固体をアセトン、メタノール、ピリジン等の溶媒により洗浄し、真空乾燥した。これを濃硝酸ナトリウム水溶液中に懸濁させて５０℃前後の温度で一晩攪拌することにより、未反応の（錯体を構成しない）コバルトイオンをナトリウムイオンと交換することで除去した。次いで、得られた固体を水およびアセトンで洗浄し、１００℃で乾燥した。このようにして、ユニットセル（ゼオライトスーパーケージ内）にフタロシアニンコバルト錯体が内包されたゼオライト（以下、これを「サンプルｂ１」ということもある。）を得た。
【００７０】
上記で得られたフタロシアニンコバルト錯体内包ゼオライトに含まれる陽イオン（主としてナトリウムイオン）をルテニウムイオンとイオン交換した。これにより、ユニットセルにフタロシアニンコバルト錯体を内包し、かつ適量のルテニウムが担持されたゼオライト（ルテニウム担持ゼオライト）を得た。このルテニウム担持ゼオライトにおけるルテニウムの担持量は、該ルテニウム担持ゼオライトの質量の例えば０．５〜５質量％程度とすることが適当である。本実施例では、ルテニウムの担持量を１質量％とした。
上記ルテニウム担持ゼオライトを、ルテニウムイオン換算で３当量以上（例えば３〜１５当量）の２，２’−ビピリジンまたはその誘導体（本実施例では、３．５当量の２，２’−ビピリジンを使用した。）と混合して封管し、１００〜２００℃の温度で３〜２４時間（ここでは、１９０℃で２４時間）加熱した。得られた固体に含まれる未反応の配位子等を除去するため、ソックスレー抽出器を用いて該固体をエタノールで洗浄し、真空乾燥した。これを濃硝酸ナトリウム水溶液に懸濁して５０℃前後の温度で一晩攪拌することにより、未反応の（錯体を構成しない）ルテニウムイオンをナトリウムイオンと交換することで除去した。次いで、得られた固体を水およびアセトンで洗浄し、１００℃で乾燥した。このようにして、フタロシアニンコバルト錯体およびトリスビピリジンルテニウム錯体がユニットセルに内包されたゼオライト（以下、これを「サンプルｂ２」ということもある。）を得た。
【００７１】
次いで、上記で得られたサンプルｂ２に実施例１と同様のイオン交換処理を施した。このようにして、ユニットセルにフタロシアニンコバルト錯体（上記一般式（１）におけるＲ1〜Ｒ4がいずれも水素原子（Ｈ）である金属錯体）とトリスビピリジンルテニウム錯体（上記一般式（３）におけるＭがルテニウム（Ｒｕ）であり、Ｒ21〜Ｒ24がいずれも水素原子（Ｈ）である金属錯体）とが内包され、かつ銀（Ａｇ）が担持されたゼオライト材料（以下、これを「サンプルＢ」ということもある。）を得た。このサンプルＢの銀含有量は１質量％であった。
【００７２】
＜実施例３＞
実施例２におけるフタロシアニンコバルト錯体の合成において、フタロニトリルに代えて同量（コバルトイオン換算で８当量）のパーフルオロフタロニトリルを使用し、その他の点については実施例２と同様にして、ユニットセルにパーフルオロフタロシアニンコバルト錯体（上記一般式（１）におけるＲ1〜Ｒ4がいずれもフッ素原子（Ｆ）である金属錯体）が内包されたゼオライト（以下、これを「サンプルｃ１」ということもある。）を得た。このサンプルｃ１を用いた点以外は実施例２と同様にして、ユニットセルに上記パーフルオロフタロシアニンコバルト錯体とトリスビピリジンルテニウム錯体（上記一般式（３）におけるＭがルテニウム（Ｒｕ）であり、Ｒ21〜Ｒ24がいずれも水素原子（Ｈ）である金属錯体）とが内包されたゼオライト（以下、「サンプルｃ２」ということもある。）を得た。そして、上記で得られたサンプルｃ２に実施例２と同様のイオン交換処理を施した。このようにして、ユニットセルに上記パーフルオロフタロシアニンコバルト錯体とトリスビピリジンルテニウム錯体（上記一般式（３）におけるＭがルテニウム（Ｒｕ）であり、Ｒ21〜Ｒ24がいずれも水素原子（Ｈ）である金属錯体）とが内包され、かつ銀（Ａｇ）が担持されたゼオライト材料（以下、このゼオライト材料を「サンプルＣ」ということもある。）を得た。
【００７３】
＜実施例４＞
実施例１〜３により得られたゼオライト材料（サンプルＡ，Ｂ，Ｃ）、該ゼオライト材料の製造過程で得られた錯体内包ゼオライトであって酸素活性化金属錯体および光還元性金属錯体のいずれか一方のみを有するゼオライト（サンプルａ１，ｂ１，ｃ１）、酸素活性化金属錯体および光還元性金属錯体を内包するが金属元素（ここでは銀）が担持されていないゼオライト（サンプルａ２，ｂ２，ｃ２）、および、実施例１〜３において出発原料として使用したＸ型ゼオライト粉末（すなわち、未処理のゼオライト粉末。以下、これを「サンプルＸ」という。）につき、以下のようにしてガス浄化試験を行った。
【００７４】
すなわち、同質量の各サンプルをそれぞれ同形のガラス瓶に入れ、インドールおよびノネナールを混入した空気（被処理ガス）を各ガラス瓶に導入して瓶を密閉した。それらのガラス瓶を、外光の入る室内（ただし直射日光は当たらない。）に１時間放置した。その後、各瓶の蓋を開けてその臭いを嗅ぎ、サンプルＸを入れたガラス瓶の臭気を基準として、他のサンプルを入れたガラス瓶の臭気の相対的な強さを官能評価した。その結果、ゼオライトのユニットセルに酸素活性化金属錯体および光還元性金属錯体を内包し、かつ銀イオンが担持されたサンプルＡ，ＢまたはＣを入れたガラス瓶については、いずれも優れた臭気低減効果が認められた。また、ゼオライトのユニットセルに酸素活性化金属錯体および光還元性金属錯体を内包するが銀が担持されていないサンプルａ２，ｂ２およびｃ２についても高い臭気低減効果が認められたが、サンプルＡ，Ｂ，Ｃに比べるとその効果は少なかった。これらサンプルＡ，Ｂ，Ｃおよびサンプルａ２，ｂ２，ｃ２には劣るものの、ゼオライトのユニットセルに酸素活性化金属錯体を内包するが光還元性金属錯体を有しないサンプルｂ１およびｃ１についても明らかな臭気の低減が認められた。一方、ゼオライトのユニットセルに光還元性金属錯体を内包するが酸素活性化金属錯体を有しないサンプルａについては、サンプルＸとの比較において、本官能試験によっては臭気低減効果が認められなかった。